(57)【要約】【課題】第１及び第２の樹脂成形体の２重構造をなした携帯端末機のアクセサリーの製造方法において、内容物である第１の樹脂成形体の破壊を防止する。  【解決手段】実装基板２０の実装面に着信報知用ＬＥＤ２１を実装し、連結プラグ１０に、実装された着信報知用ＬＥＤ２１を電気的に接続し、連結プラグ１０に電気的に接続された着信報知用ＬＥＤ２１上に、多数の微細なガラスビーズ３３が封入された第１の樹脂成形体３０を接着する。そして、実装基板２０、着信報知用ＬＥＤ２１及び第１の樹脂成形体３０を含む組立体をカバーする第２の樹脂成形体６０を、シリコンゴム型５０を用いて形成する。【選択図】図４
2017069609.tif 000002
【特許請求の範囲】
【請求項１】
携帯端末機（７０）のイヤホンジャック（７１）に連結プラグ（１０）を介して装着可能であり、携帯端末機（７０）からの着信報知信号に応じて点灯する着信報知用ＬＥＤ（２１）を備えた携帯端末機のアクセサリーの製造方法において、
実装基板（２０）の実装面に着信報知用ＬＥＤ（２１）を実装する第１の工程と、
連結プラグ（１０）に、実装された着信報知用ＬＥＤ（２１）を電気的に接続する第２の工程と、
連結プラグ（１０）に電気的に接続された着信報知用ＬＥＤ（２１）上に、乱反射体が封入された第１の樹脂成形体（３０）を接着する第３の工程と、
実装基板（２０）、着信報知用ＬＥＤ（２１）及び第１の樹脂成形体（３０）を含む組立体をカバーする第２の樹脂成形体（６０）を、シリコンゴム型（５０）を用いて形成する第４の工程と、を備える携帯端末機のアクセサリーの製造方法。
【請求項２】
前記第２の工程は、実装基板（２０）に形成された貫通穴に挿通されて実装基板（２０）の実装面側に引き出された連結プラグ（１０）と、実装基板（２０）の実装面に実装された着信報知用ＬＥＤ（２１）とを半田付けする工程である請求項１に記載の携帯端末機のアクセサリーの製造方法。
【発明の詳細な説明】
【技術分野】
【０００１】
本発明は、携帯端末機のアクセサリーの製造方法に関し、特に、携帯端末機のイヤホンジャックに連結プラグを介して装着可能であり、携帯端末機からの着信報知信号に応じて発光する着信報知用ＬＥＤを備えた携帯端末機のアクセサリーの製造方法に関する。
【背景技術】
【０００２】
従来、携帯電話、特にスマートフォンのような携帯端末機は、イヤホンジャックに挿入されるイヤホンプラグを通して、音楽等の各種の音響を聴取可能に構成されている。また、携帯端末機からの着信報知信号を、イヤホンプラグを通して着信報知用ＬＥＤに出力し、着信報知用ＬＥＤを点灯させるようにした携帯端末機のアクセサリーが知られている。
【先行技術文献】
【特許文献】
【０００３】
【特許文献１】特開２０１２−２２７９０４号公報
【特許文献２】特開２０１２−２２２５００号公報
【特許文献３】特開２０１１−１５５４７３号公報
【発明の概要】
【発明が解決しようとする課題】
【０００４】
上記携帯端末機のアクセサリーをさらに発展させたものとして、着信報知用ＬＥＤ上に多数の微細なガラスビーズを封入した第１の樹脂成形体を接着し、さらに全体を第２の樹脂成形体でカバーすることで、ガラスビーズの乱反射によりキラキラと美しく見せるようにした携帯端末機のアクセサリーが開発されている。
【０００５】
しかしながら、第１及び第２の樹脂成形体の２重樹脂構造において、内容物である第１の樹脂成形体の強度は著しく低いため、第２の樹脂成形体を、金型を用いた射出成形で形成する時に、樹脂の射出による圧力により、第１の樹脂成形体が破壊されることがあった。
【課題を解決するための手段】
【０００６】
本発明の携帯端末機のアクセサリーの製造方法は、携帯端末機（７０）のイヤホンジャック（７１）に連結プラグ（１０）を介して装着可能であり、携帯端末機（７０）からの着信報知信号に応じて点灯する着信報知用ＬＥＤ（２１）を備えた携帯端末機のアクセサリーの製造方法において、
実装基板（２０）の実装面に着信報知用ＬＥＤ（２１）を実装する第１の工程と、
連結プラグ（１０）に、実装された着信報知用ＬＥＤ（２１）を電気的に接続する第２の工程と、連結プラグ（１０）に電気的に接続された着信報知用ＬＥＤ（２１）上に、乱反射体が封入された第１の樹脂成形体（３０）を接着する第３の工程と、  実装基板（２０）、着信報知用ＬＥＤ（２１）及び第１の樹脂成形体（３０）を含む組立体をカバーする第２の樹脂成形体（６０）を、シリコンゴム型（５０）を用いて形成する第４の工程と、を備えるものである。
【発明の効果】
【０００７】
本発明によれば、第１及び第２の樹脂成形体の２重構造をなした携帯端末機のアクセサリーの製造方法において、第２の樹脂成形体を、柔軟性が高いシリコンゴム型を用いて形成するので、樹脂の射出による圧力がシリコンゴム型の柔軟性により吸収される結果、内容物である第１の樹脂成形体の破壊を防止することができ、キラキラと美しく、かつスマートフォンのような携帯端末機のデザインと調和する小型の携帯端末機のアクセサリーの生産性を向上することができる。
【図面の簡単な説明】
【０００８】
【図１】連結プラグの構成を示す図である。
【図２】連結プラグと実装基板との接続方法を示す斜視図である。
【図３】第１の樹脂成形体の構成を示す図である。
【図４】本発明の実施形態における携帯端末機のアクセサリーの製造方法を示す図である。
【図５】携帯端末機とアクセサリーの電気的接続関係を示す図である。
【発明を実施するための形態】
【０００９】
本発明の実施形態の携帯端末機のアクセサリー１００の製造方法を図１乃至図５に基づいて説明する。この製造方法は、連結プラグ１０、実装基板２０、着信報知用ＬＥＤ２１、アクセサリー識別抵抗２２、第１の樹脂成形体３０、実装部保護ケース４０を組み立て、その組立体をカバーする第２の樹脂成形体６０を射出成形するに際して金型ではなくシリコンゴム型５０を用いるというものである。
【００１０】
先ず、携帯端末機のアクセサリー１００を構成する各部品について説明する。図１は、連結プラグ１０の構成を示す図であり、図１（ａ）はその平面図、図１（ｂ）はその正面図である。図２は、連結プラグ１０と実装基板２０との接続方法を示す斜視図である。
【００１１】
連結プラグ１０は、第１乃至第４の電極１１，１２，１３，１４を有する、いわゆる４極プラグである。第１の電極１１は連結プラグ１０の中心電極であり、連結プラグ１０の両端から順に、第２の電極１２，第３の電極１３，第４の電極１４という３つのリング電極が配置されている。４つの電極の間には絶縁リング１５が配置されることにより、各電極は互いに電気的に絶縁されている。
【００１２】
連結プラグ１０の先端から第１の電極１１が突出し、この先端から連結プラグ１０の本体がスマートフォン等の携帯端末機７０のイヤホンジャック７１に挿入されるようになっている。一方、連結プラグ１０の後端側の第２の電極１２，第３の電極１３，第４の電極１４から、それぞれ薄板状の第２の電極片１２ａ，第３の電極片１３ａ，第４の電極片１４ａが連結プラグ１０の長手方向に突出して設けられている。
【００１３】
通常、連結プラグの４極は、マイク、イヤホンの左右チャンネル、接地に割り当てられているが、本実施形態の連結プラグ１０では、第１及び第２の電極１１，１２は着信報知用ＬＥＤ２１用の電極との連結に、第３及び第４の電極１３，１４は、アクセサリー識別抵抗２２用の電極との連結に割り当てられている。アクセサリー識別抵抗２２は、携帯端末機のアクセサリーが携帯端末機７０のイヤホンジャック７１に挿入されたことを識別するために用いられる抵抗である。
【００１４】
図２に示すように、エポキシ樹脂等からなる実装基板２０の実装面に着信報知用ＬＥＤ２１、及びアクセサリー識別抵抗２２が実装される。着信報知用ＬＥＤ２１はアノードとカソードを有し、実装基板２０の実装面にはアノード電極２１ａ、カソード電極２１ｂが配置されている。また、アクセサリー識別抵抗２２は２つの抵抗端を有し、実装基板２０の実装面には、２つの抵抗端にそれぞれ接続された第１の抵抗電極２２ａ、第２の抵抗電極２２ｂが配置されている。
【００１５】
実装基板２０は、第１の電極１１，第２の電極片１２ａ，第３の電極片１３ａ，第４の電極片１４ａに対応して、実装基板２０の実装面とその裏面とを接続する４つの貫通穴を有している。この例では、連結プラグ１０の後端側の第１の電極１１にも、第１の電極１１から突出した第１の電極片１１ａが設けられている。第１の電極片１１ａ，第２の電極片１２ａ，第３の電極片１３ａ，第４の電極片１４ａはそれぞれ対応する貫通穴に挿通され、実装基板２０の裏面側から実装面側に引き出される。
【００１６】
そして、実装基板２０の貫通穴に挿通された第１の電極片１１ａ，第２の電極片１２ａはそれぞれアノード電極２１ａ、カソード電極２１ｂに半田付けにより電気的に接続され、一方、実装基板２０の貫通穴に挿通された第３の電極片１３ａ，第４の電極片１４ａはそれぞれ第１の抵抗電極２２ａ、第２の抵抗電極２２ｂに半田付けにより電気的に接続される。また、第１の電極１１については第１の電極片１１ａを設けず、第１の電極１１そのものの円柱状の端部を貫通穴に挿通してもよい。
【００１７】
このように、実装基板２０の実装面側で半田付けを行うので、実装基板２０の裏側で半田付けを行う場合に比して、その作業性が良く、電極間のショートや接続不良が発生した際にも確認することが容易であり歩留まりを向上することができる。
【００１８】
また、連結プラグ１０の４電極を実装基板２０の貫通穴に挿通しているので、実装基板２０の連結プラグ１０に対する位置決めを正確に行うことができるという利点もある。
【００１９】
次に、キャラクター形状の第１の樹脂成形体３０の構成を図３に基づいて説明する。図３（ａ）はその平面図、図３（ｂ）はその正面図、図３（ｃ）はその背面図、図３（ｃ）は、第１の樹脂成形体３０を斜め下方から見た斜視図である。
【００２０】
第１の樹脂成形体３０は、透明または、光を透す性質である透光性を有しており、実装基板２０に実装された着信報知用ＬＥＤ２１の上に接着される。第１の樹脂成形体３０は、エポキシ樹脂等を射出成形等により形成することができ、その本体内部の空洞部３１に連通する投入穴３２から多数の微細なガラスビーズ３３が投入される。ガラスビーズ３３は、乱反射体の一例である。
【００２１】
その後、ガラスビーズ３３を本体内部に封止するために投入穴３１は接着剤等で塞がれる。これにより、着信報知用ＬＥＤ２１が点灯した時に、あるいは、外光を受けた時に、その光がガラスビーズ３３により乱反射され、キラキラと美しく見せることができる。
【００２２】
次に、携帯端末機のアクセサリー１００の製造方法を図１に基づいて説明する。先ず、図１（ａ）に示すように、実装基板２０の実装面に着信報知用ＬＥＤ２１及びアクセサリー識別抵抗２２を実装し、連結プラグ１０の各電極と着信報知用ＬＥＤ２１及びアクセサリー識別抵抗２２を前述の方法にて電気的に接続する。着信報知用ＬＥＤ２１上には第１の樹脂成形体３０が接着される。
【００２３】
また、着信報知用ＬＥＤ２１及びアクセサリー識別抵抗２２が実装された実装基板２０を収納し、保護するための実装部保護ケース４０が連結プラグ１０に取り付けられる。実装部保護ケース４０の底には連結プラグ１０を通す穴が形成されている。
【００２４】
次に、図１（ｂ）に示すように、実装基板２０、第１の樹脂成形体３０等の組立体をシリコンゴム型５０で挟み込み、シリコンゴム型５０のゲート５１からシリコンゴム型５０の中に、エポキシ樹脂等の熱硬化性を有する液状の樹脂を射出又は注入する。この場合、シリコンゴム型５０は、右型と左型という２つの型からなり、これらの型で組立体を挟み込むようにしている。また、シリコンゴム型５０は、実装部保護ケース４０をカバーし、第１の樹脂成形体３０の全体を収納する空間を有している。
【００２５】
この時、樹脂の射出や注入による圧力はシリコンゴム型５０の柔軟性により吸収される結果、内容物である第１の樹脂成形体３０等の破壊を防止することができる。その後、加熱炉等を用いてシリコンゴム型５０の中の樹脂を所定の温度に加熱し、熱硬化させる。その後、シリコンゴム型５０は除去される。これにより、連結プラグ１０の先端挿入部を除いて組立体の全体をカバーする第２の樹脂成形体６０が形成される。第２の樹脂成形体６０も第１の樹脂成形体３０と同様に透明または透光性を有している。
【００２６】
図５は、携帯端末機７０と、そのアクセサリー１００の電気的接続関係を示す図である。携帯端末機７０は、イヤホンジャック７１、着信報知部７２を備えている。携帯端末機のアクセサリー１００の連結プラグ１０は、イヤホンジャック７１に挿入される。すると、着信報知部７２又は携帯端末機７０の本体は、アクセサリー識別抵抗２２に連結プラグ１０を通して電圧を印加し、その電流を検出することで、携帯端末機のアクセサリー１００が携帯端末機７０に装着されたこと、すなわち、連結プラグ１０がイヤホンジャック７１に挿入されたことを識別することができる。
【００２７】
そして、携帯端末機７０が着信状態になると、着信報知部７２は、連結プラグ１０を通して、着信報知用ＬＥＤ２１に着信報知信号を出力する。この場合の着信報知信号は、着信報知用ＬＥＤ２１のアノードとカソード間に印加される電圧信号である。
【００２８】
これにより、着信報知用ＬＥＤ２１は点灯する。着信報知用ＬＥＤ２１の発光は、第１の樹脂成形体３０の多数のガラスビーズ３３で乱反射され、そのキャラクター形状をキラキラと美しく見せることができる。
【符号の説明】
【００２９】
１０  連結プラグ
１１  第１の電極
１２  第２の電極
１３  第３の電極
１４  第４の電極
１１ａ  第１の電極片
１２ａ  第２の電極片
１３ａ  第３の電極片
１４ａ  第４の電極片
１５  絶縁リング
２０  実装基板
２１  着信報知用ＬＥＤ
２２  アクセサリー識別抵抗
３０  第１の樹脂成形体
３１  空洞部
３２  投入穴
３３  ガラスビーズ
４０  実装部保護ケース
５０  シリコンゴム型
６０  第２の樹脂成形体
７０  携帯端末機
７１  イヤホンジャック
７２  着信報知部
１００  携帯端末機のアクセサリー
【図１】
2017069609.tif 000003
【図２】
2017069609.tif 000004
【図３】
2017069609.tif 000005
【図４】
2017069609.tif 000006
【図５】
2017069609.tif 000007